(57)【要約】【課題】服用している一般薬に対しての処方薬との間の飲み合わせをチェックすると共に、利用者が購入履歴を覚えておく必要のない薬品相互作用チェックシステムを提供すること。【解決手段】薬品相互作用チェックシステムにおいて、ドラッグストア１３で購買した一般薬などの購買情報を各顧客毎にその会員番号と関連づけて統括処理部１１で管理し、調剤薬局１２で顧客が薬品の相互作用チェックを希望したときに、調剤薬局１２で処方される処方薬と一般薬等の購買履歴情報とを用いて相互作用チェックを行う。このチェック結果は、顧客に知らされると共に、調剤薬局１２での薬剤師のアドバイスに利用される。【選択図】    図１
2004157978.tif 000002
【特許請求の範囲】
【請求項１】
顧客が既に購入した薬品類と該顧客が新たに購入する処方薬との相互作用を自動的にチェックする薬品類の相互作用チェックシステムであって、
前記相互作用チェックシステムは、前記顧客の薬品類の購買情報を該顧客の顧客特定情報に関連づけて入力可能な入力部と、該購買情報を格納する購買履歴データベースを有する顧客・購買履歴管理サーバと、薬品類の相互作用情報を格納する相互作用データベースを有する相互作用チェックサーバとを備えた統括処理部と、前記処方薬のレセプトを作成するレセプトコンピュータと、該統括処理部にアクセスして前記購買履歴と前記相互作用チェック情報を用いて薬品類の相互作用をチェックする機能を有する相互作用チェック端末を備えた機構処理部とを具備することを特徴とする薬品類の相互作用チェックシステム。
【請求項２】
前記相互作用チェック端末は、前記購買履歴データベースの前記購買情報と前記相互作用データベースの前記相互作用チェック情報を取得するデータ取得手段と、該購買履歴情報と該相互作用チェック情報を薬品類の相互作用チェックが可能なデータに変換するデータ変換手段と、変換後のデータを用いて前記顧客に対する薬品類の相互作用をチェックする手段とを備えたものであることを特徴とする請求項１に記載の薬品類の相互作用チェックシステム。
【請求項３】
前記顧客特定情報は、該顧客に対し発行される、少なくとも該顧客の会員番号、氏名、住所を含む情報を記録した会員カードを使用して入力されるものであることを特徴とする請求項１乃至２の１に記載の薬品類の相互作用チェックシステム。
【請求項４】
前記相互作用チェック端末は、薬品類の相互作用のチェック結果を前記顧客用及び／又は担当者用の各種アドバイスシートとして出力する出力部を具備するものであることを特徴とする請求項１乃至３の１に記載の薬品類の相互作用チェックシステム。
【発明の詳細な説明】
【０００１】
【発明の属する技術分野】
本発明は、薬品類の相互作用チェックシステムに関し、さらに詳しくは、会員である顧客が処方箋により処方薬を購入しようとする場合に、既に購入した一般薬との相互作用を自動的にチェックし、処方薬の服用により身体へ好ましくない副作用が発生することを未然防止するための薬品類の相互作用チェックシステムに関する。
【０００２】
【従来の技術】
現代生活において、医師の処方箋を必要とせずに誰でもドラッグストア等で購入可能な薬品（例えば、市販の風邪薬や胃腸薬、漢方薬などがある。）や、さらには薬効作用を有するサプリメントや健康食品を飲食する人々の数が急増している（以下、総称して一般薬という。）。これら一般薬の種類はきわめて多岐にわたるが、通常、このような一般薬は自分で選択、購入して服用している。
【０００３】
一方、そのような人々が何らかの病気に罹患したときには、担当医師から病因に対応した処方箋に基づき、調剤薬局で調剤された医薬品（以下、処方薬という。）を購入して服用するのが通常である。
【０００４】
このような場合において、日常服用している一般薬と処方薬とを重複して服用すると、薬品類の相互作用が発生することが予想される。かかる相互作用が発生すると、一般薬の効能が増強したり、処方薬の効能が減退して担当医師が期待する治療ができない場合が生ずる。さらに、相互作用のある薬品類を長期間服用する場合には、それらを構成する化学物質の相互反応により、身体へ好ましくない副作用が発生する恐れもある。
【０００５】
したがって、日常より服用している一般薬をそのまま処方薬と重複して服用して良いか、あるいは、日常より服用している一般薬がある場合には適切な処方薬の選択がされているかを判定し、その結果に基づいて薬品類を安全に服用できるようにするチェックシステムが望まれている。
【０００６】
このようなチェックシステムとして、現在では、例えば、日常服用する一般薬の所要データをコンピュータに入力し、さらに、新たに服用する処方薬の所要データを入力すると、その重複服用による好ましくない副作用発生の可能性の有無、その程度を判断することができる相互作用チェックプログラムが存在する。
【０００７】
【発明が解決しようとする課題】
しかし、かかる相互作用チェックプログラムは、正確な相互作用チェックのために一般薬として何を購入し、いつ服用したのかを覚えておく必要がある。すなわち、その銘柄や種類、さらには、その薬効の有効期限もあることより正確な服用日時等を申告しなければならない。
【０００８】
しかしながら、実際問題として、通常、これらの事項を正確に記憶しているのは極めて稀であり、この結果、前記のような相互作用チェックプログラムでは、薬品類の副作用チェックを実効的になし得ないものであり、このようなチェックシステムが強く要望されているのに対し、実際には広く普及するまでに至っていないのが実情である。
【０００９】
本発明は、かかる問題点を改善するためになされたものであり、その目的とするところは、顧客が既に購入、服用している一般薬を主とする薬品類に関する正確な情報を覚えていなくても、新たに購入しようとする処方薬との相互作用を自動的に判断することができる相互作用チェックシステムを提供するものである。
【００１０】
【特許文献】
特開平１０−２２５５００
【００１１】
【課題を解決するための手段】
本発明の薬品類の相互作用チェックシステムは、顧客が既に購入した薬品類と該顧客が新たに購入する処方薬との相互作用を自動的にチェックする薬品類の相互作用チェックシステムであって、前記相互作用チェックシステムは、前記顧客の薬品類の購買情報を該顧客の顧客特定情報に関連づけて入力可能な入力部と、該購買情報を格納する購買履歴データベースを有する顧客・購買履歴管理サーバと、薬品類の相互作用情報を格納する相互作用データベースを有する相互作用チェックサーバとを備えた統括処理部と、前記処方薬のレセプトを作成するレセプトコンピュータと、該統括処理部にアクセスして前記購買履歴と前記相互作用チェック情報を用いて薬品類の相互作用をチェックする機能を有する相互作用チェック端末を備えた機構処理部とを具備することを特徴とする。
【００１２】
この構成によれば、本人の記憶に頼ることなく、既に購入した薬品類の正確な服用状況を把握して新たに購入する処方薬との相互作用を自動的にチェックすることができ、日常服用している一般薬をそのまま処方薬と重複して服用して良いかどうかの情報を簡単に得ることができる。
【００１３】
本発明の薬品類の相互作用チェックシステムにおいては、前記相互作用チェック端末は、前記購買履歴データベースの前記購買情報と前記相互作用データベースの前記相互作用チェック情報を取得するデータ取得手段と、該購買履歴情報と該相互作用チェック情報を薬品類の相互作用チェックが可能なデータに変換するデータ変換手段と、変換後のデータを用いて前記顧客に対する薬品類の相互作用をチェックする手段とを備えたものであることが好ましい。
【００１４】
本発明の薬品類の相互作用チェックシステムにおいては、前記顧客特定情報は、該顧客に対し発行される、少なくとも該顧客の会員番号、氏名、住所を含む情報を記録した会員カードを使用して入力されるものであることが好ましい。
【００１５】
本発明の薬品類の相互作用チェックシステムにおいては、前記相互作用チェック端末は、薬品類の相互作用のチェック結果を前記顧客用及び／又は担当者用の各種アドバイスシートとして出力する出力部を具備するものであることが好ましい。
【発明の実施の形態】
【００１６】
以下、本発明に係る薬品類の相互作用チェックシステムの一実施形態につき、添付図面を参照して詳細に説明する。
図１は、本発明の一実施形態による薬品類の相互作用チェックシステムの概要を示す図、図２は、顧客・購買履歴管理サーバ１１ａに格納される購買履歴データベースを説明するための図、図３は、調剤薬局１２の相互作用チェック端末１２ｂの構成を示す図、図４は、相互作用チェック結果を出力したアドバイスシートを示す図である。
【００１７】
薬品類の相互作用チェックシステム１０では、会員である顧客が本システムの傘下にあるドラッグストア１３（入力部）において一般薬を購入すると、購買情報がＰＯＳレジ１３ａより入力され、ストアコントローラ１３ｂを通して、管理センタ１１の顧客・購買履歴管理サーバ１１ａの購買履歴データベースに記録される。一方、会員である顧客が本システムの傘下にある調剤薬局１２（機構処理部）において処方薬の購入をしようとする場合には、レセコン１２ａに処方箋データを入力すると、相互作用チェック端末１２ｂが管理センタ１１（統括処理部）に備えられた相互作用チェックサーバ１１ｂにアクセスし、相互作用チェックに必要な情報を得て、既に購入した薬品類と新規に購入する処方薬との相互作用チェックを自動的に行なうというものである。
【００１８】
また、管理センタ１１とドラッグストア１３及び調剤薬局１２との間は、インターネット、ＬＡＮのようなネットワーク、電話回線などにより接続され、各種の情報やデータ類のやりとり、その更新、交換などが容易かつ迅速に行うことができるよう構成されている。
【００１９】
本システムの傘下にあるドラッグストア１３（一般薬のみを販売する薬局）に主として設置される入力部は、通常のレジの機能に加えて、顧客の一般薬の購買情報を顧客特定情報と関連づけて入力することができるＰＯＳレジ１３ａと、その購買情報を一時蓄えておき、定期的に又は逐次に統括処理部の顧客・購買履歴管理サーバに伝送するストアコントローラ１３ｂとを備えている。
【００２０】
ドラッグストア１３では、顧客が一般薬を購買する際に会員カード１３ｃの提示を求める。これにより、どの会員番号の顧客がいつ何の一般薬品を何個購入したかの情報を正確にＰＯＳレジ１３ａに入力できる。会員カード１３ｃは、繰り返し読み書きすることができるものであり、例えば、会員番号、氏名、住所、最新ご利用日、利用回数、累計ポイントなどを記録できる。会員カード１３ｃは、入会時に顧客に申込書に氏名、住所、電話番号などを記入してもらうことにより発行する。
【００２１】
本システムのシステム管理センタ１１あるいはその他の場所には、顧客・購買履歴管理サーバ１１ａと相互作用チェックサーバ１１ｂを備えた統括処理部が設置される。
【００２２】
顧客・購買履歴管理サーバ１１ａに格納される購買履歴データベースは、例えば、図２に示すようなもので、該当会員がドラッグストア１３にて購買した一般薬の購入日、商品名、薬品種類、その継続使用の有無などがリスト化された購買履歴からなり、会員番号との関連づけにより管理されている。また、会員番号以外の顧客特定情報として会員氏名、住所、電話番号、生年月日、家族構成も登録されている。
【００２３】
顧客特定情報につき、単に氏名にとどまらず住所や生年月日まで登録するのは、同姓同名による顧客誤認を防止するためであり、また、家族構成まで登録するのは、会員家族間で会員カード１３ｃの貸与があった場合にも、該当顧客の相互作用チェックを適切に行えるようにするためである。
【００２４】
もちろん、購買履歴データベースにおける各項目の種類、内容は、必ずしも前記したものに限定されるわけではない。例えば、会員の過去３年以内における既往病歴等、会員の健康状態についての付加的情報があれば、それらについても登録されるようにするのが好ましい。
【００２５】
なお、購買履歴データベースは定期的に又は逐次に顧客・購買履歴管理サーバ１１ａより相互作用チェックサーバ１１ｂに自動送信される。相互作用チェックに必要な情報を集中的に管理するためである。
【００２６】
相互作用チェックサーバ１１ｂには、一般薬と処方薬との相互を重複して服用した場合の副作用の有無や、その程度についての情報、すなわち、異なる薬品類の飲み合わせにより生じる好ましくない副作用の発生を事前に予測判断するための相互作用チェックデータベースが格納されている。
【００２７】
相互作用チェックデータベースは、主として、システム傘下にあるドラッグストア１３で販売される一般薬リスト情報からなるが、これらに限定されるものではなく、例えば、その服用方法に対する適切なアドバイス情報や、重大な相互作用が発生するおそれに対しては代替薬の情報を含めることもできる。また、一般薬リスト情報は、常に新しい一般薬が発売されるという事情より、適時最新のものに更新する。
【００２８】
一方、相互作用チェックサーバ１１ｂに、相互作用チェック端末１２ｂに格納される相互作用チェックプログラムや相互作用チェック端末１２ｂから逆に送信される過去処方履歴を格納しておくこともでき、その場合には、統括処理部において相互作用チェックに必要な情報をさらに集中して管理できる。
【００２９】
本システムの傘下にある調剤薬局１２（処方薬を販売する薬局）には、機構処理部が設置される。機構処理部には、病院が健康保険などの報酬を公的機関に請求するためのレセプトを作成する専用のコンピュータであるレセコン１２ａと、顧客が購入しようとする処方薬と既に購入している一般薬との相互作用チェック機能を有する相互作用チェック端末１２ｂとが備えられている。レセコン１２ａにおけるレセプト作成は、顧客の会員カード１３ｃを用いることで会員カード１３ｃの会員番号から処方箋の情報を抽出して自動的に行われる。
【００３０】
相互作用チェック端末１２ｂは、レセコン１２ａから処方薬情報と会員番号を取得し、かつ顧客・購買履歴データサーバ１１ａから該当会員の購買履歴を取得するデータ取得部２１と、データ取得部２１で取得した情報を相互作用チェック可能な情報に変換するデータ変換部２２と、変換後の情報から相互作用（飲み合わせ）をチェックする飲み合せチェック部２３と、飲み合わせチェック結果を出力する出力部２４と、飲み合せチェック結果を一時的に格納するメモリ２５とを有する。
【００３１】
データ変換部２２は一般薬や処方薬の商品名や銘柄についての情報とそれに含有される化学物質等とを対応させた含有化学物質情報を格納し、飲み合せチェック部２３は薬品類の相互作用チェックプログラムを格納する。相互作用チェックプログラムは、薬品類の新たな相互作用が発見される可能性があるという事情より、適時最新のものに更新する。
【００３２】
次に、上記構成を有する薬品類の相互作用チェックシステム１０における動作について説明する。
【００３３】
会員である顧客が、本システムの傘下にあるドラッグストア１３において一般薬品を購買する際には会員カード１３ｃの提示が求められる。会員カード１３ｃにより、どの会員が、何の一般薬品を、いつ、何個購入したかの正確な購買情報がＰＯＳレジ１３ａに入力され、顧客特定情報と関連づけられて、自動的にストアコントローラ１３ｂに蓄積される。
【００３４】
そして、ドラッグストア１３の閉店後には、当日ストアコントローラ１３ｂに蓄積された一般薬の購買情報が、ネットワークや電気回線を通じて管理センタ１１の顧客・購買履歴管理サーバ１１ａに送信され、顧客・購買履歴管理サーバ１１ａに格納されている購買履歴データベースが更新される。この動作は、本システム傘下にあるドラッグストア１３全店に備えられたストアコントローラ１３ｂより行われる。
【００３５】
一方、会員が病気になり、本システムの傘下にある調剤薬局１２で処方薬を購入する際には、担当医師による処方箋と共に会員カード１３ｃを提出する。会員は処方箋に記載された処方薬と従来から服用している一般薬との間の相互作用チェックを依頼することができる。この場合、調剤薬局１２側において、薬品類の相互作用チェックができることを店頭で表示することにより、相互作用チェックサービスを会員に知らしめる。
【００３６】
調剤薬局１２の販売を担当する者、例えば、薬剤師は処方箋の内容をレセコン１２ａに入力する。これは、調剤薬局１２における通常の作業である。レセコン１２ａは、処方された処方薬の情報と会員カード１３ｃの会員番号を相互作用チェック端末１２ｂに自動的に転送し、一般薬との相互作用チェックを指令する。
【００３７】
指令を受けた相互作用チェック端末１２ｂは、データ取得部２１が統括処理部の相互作用システムサーバ１１ｂにアクセスし、会員番号により購買履歴データベースに記録された該当会員の購買履歴情報と顧客特定情報を相互作用システムデータサーバ１１ｂを介して顧客・購買履歴管理サーバ１１ａより取得する。
【００３８】
なお、この場合、処方薬の処方履歴を相互作用システムサーバ１１ｂに送信し、相互作用チェックデータベースに記録しておくこともでき、かかる場合には過去処方履歴として一般薬の購買履歴と共に、次回の処方薬の相互作用チェックの際の対象薬品リストに加えることもできる。
【００３９】
次に、データ取得部２１は、購買履歴、顧客特定情報、処方薬情報をデータ変換部２２に出力する。データ変換部２２では、これらの情報を相互作用チェックが可能な情報に変換する。例えば、購買履歴や処方薬情報は、商品名や銘柄の情報になるので、これらの商品名や銘柄から含有化学物質を特定するなどの処理を行う。
【００４０】
データ変換部２２は、変換された一般薬と処方薬の含有化学物質情報を飲み合せチェック部２３に出力する。飲み合せチェック部２３では、相互作用チェックプログラムにより含有化学物質情報の飲み合せ、すなわち薬品類の相互作用チェックを行う。
【００４１】
具体的には、Ｘｍｇの化学物質ＡとＹｍｇの化学物質Ｂとは相互作用があるという相互作用情報があり、購買履歴や処方薬情報からＸｍｇを超える化学物質Ａの含有量とＹｍｇを超える化学物質Ｂの含有量が発見されると、飲み合せチェック部２３では、相互作用があるという結果を出す。
【００４２】
飲み合せチェック部２３は、飲み合せチェックの結果を出力部２４に出力する。出力部２４は、例えば、ディスプレイやプリンタとパソコンから構成され、飲み合せチェック結果を所定のフォームにして各種アドバイスシートとして出力する機能を有している。
【００４３】
アドバイスシートの形式に特に限定はないが、薬剤師向けの相互作用チェック結果シートは、販売を担当する薬剤師が自己の知識に基づき、顧客に対して今回処方調剤する処方薬と既購入の一般薬との相互作用関係、その服用方法などを説明できるように構成される。例えば、図４（ａ）に示すように、ヘッダ情報（タイトル、受付番号、処方日、受付日、出力日時）と、処方受付／ポイントカード会員情報（氏名、会員番号であるカードＮＯ、電話番号、住所）とに合わせて、指導手順と、チェック結果（一般薬品名、購入日、処方薬品名、処方薬局／購入店名、購入者氏名、判定レベル、相互作用コメント）等を記載する。
【００４４】
判定レベルには、例えば、安全、注意、要注意という段階分けがあり、相互作用コメントには、例えば、一般薬Ａの作用が増強する、一般薬Ｂの作用により血圧が低下する可能性があるというような薬剤師として顧客に適切な助言をするための資料となる。
【００４５】
また、顧客向けの相互作用チェック結果シートの形式は、薬剤師向けの相互作用チェック結果シートのそれと略同様でありここでは説明を省略するが、例えば、指導手順の欄の代わりに会員が処方薬の服用にあたって留意すべき事項をわかりやすく説明したチェック案内の欄が設けられる。
【００４６】
さらに、図４（ｂ）に示すような対象薬品リストを出力することにより、顧客は本システムの傘下にないドラッグストア１３で購買したために相互作用チェックの対象外となった一般薬を自ら確認することができ、かかる一般薬の服用方法につき薬剤師に適切なアドバイスを伺うこともできる。
【００４７】
このように薬品類の相互作用チェックシステム１０では、本人の記憶に頼ることなく、正確な一般薬の服用の状況に基づいて処方薬との相互作用を自動的にチェックすることができ、日常服用している一般薬をそのまま処方薬と重複して服用して良いかどうか、あるいは服用方法についての情報を簡単に得ることができる。その結果、飲み合せにより健康が損なわれることを未然に防止できる。
【００４８】
また、相互作用チェック結果に基づいて、薬剤師は一般薬と処方薬の服用方法の指導を行い、必要な場合には適切な代替一般薬を推奨することもできる。アドバイスの際には、運動や栄養を含めた指導を行うべきであり、あらかじめ代替一般薬リストを作成し、各調剤薬局１２に配布しておけば、顧客に対し迅速な指導を行うことができる。
【００４９】
また、処方箋を発行した医薬機関の担当医師に、一般薬の服用状況及び処方薬との相互作用情報や、必要に応じて代替一般薬リストを情報を提供し、医療機関での診察に反映させることもできる。なお、この場合、医療機関への情報提供には顧客の了承を得るようにすることが望ましい。
【００５０】
ここで、本システムにおける具体的な流れについて図５を用いて説明する。
まず、調剤薬局１２において処方箋及び会員カード１３ｃの受け取りがされると受付伝票が発行される（処理１、２）。処方箋はコピーされ、原紙は会員に返却するために保管される（処理３）。処方箋の内容は処方データとなる。
【００５１】
次いで、レセコン１２ａに処方データと会員番号が入力されるとレセプトが作成される（処理４）。処方データに基づく薬品の情報は、薬品説明書として出力され、会員に渡すために保管される。薬品説明書にしたがい処方薬の集薬が開始され、処方薬は会員に渡すために保管される。一方、処方データは、薬袋データとしてレセコン１２ａから自動的に薬袋発行機に出力され、薬袋発行機が薬袋データに基づいて薬袋を発行する（処理５、６）。この薬袋も会員に渡すために保管される。
【００５２】
レセコン１２ａに入力された処方データは、相互作用チェック指令のために相互作用チェック端末１２ｂに送られる。相互作用チェック端末１２ｂは、相互作用システムサーバの支援のもとに、所定の一般薬品類と処方薬品類の相互作用チェックを実行し、相互作用チェック結果は、アドバイスシートとして出力装置から出力される。
【００５３】
顧客用相互作用チェック結果は会員に渡すため保管され、薬剤師用相互作用チェック結果は薬剤師の手許に届けられる（処理７、８）。
【００５４】
会員は、このようにして保管された薬、薬品説明書、薬袋、及び相互作用チェック結果シートを持って薬剤師と面談すると、薬剤士は相互作用チェック結果を参照しながら、一般薬と処方薬の飲み合わせの指導や、必要がある場合には、適切な代替一般薬の推奨を監査として行う（処理９）。
【００５５】
なお、本発明は上記実施の形態に限定されず、種々変更して実施することが可能である。上記実施の形態においては、相互作用システムチェックサーバ１１ｂ及び相互作用チェック端末１２ｂは別体であり、相互作用チェックプログラム２５が相互作用チェック端末１２ｂに設けられている場合について説明しているが、本発明ではこの構成に限定されず、購買履歴情報、顧客特定情報、処方薬情報により薬品類の相互作用チェック機能を実現できる構成あれば、相互作用システムチェックサーバ１１ｂ及び相互作用チェック端末１２ｂが一体であっても良く、相互作用チェックプログラムが他の構成部分に設けられても良い。また、各調剤薬局１２において、レセコン１２ａ、相互作用チェック端末１２ｂ、及び相互作用システムチェックサーバ１１ｂの機能をすべて併せ持つ装置を備えて本システムを実現するようにしても良い。
【００５６】
【発明の効果】
以上説明したように、本発明に係る薬品類の相互作用チェックシステムによれば、本人の記憶に頼ることなく、薬品類の服用状況を正確に把握して処方薬との相互作用を自動的にチェックすることができ、日常服用している一般薬をそのまま処方薬と重複して服用して良いか、又はその服用方法についての情報を簡単に得ることができる。その結果、飲み合せにより健康が損なうことを未然に防止し、健康を維持することができる。
【図面の簡単な説明】
【図１】本発明の一実施形態に係る薬品相互作用チェックシステムの概要を示す図である。
【図２】顧客・購買履歴管理サーバ１１ａに格納される購買履歴データベースを説明するための図である。
【図３】調剤薬局１２の相互作用チェック端末１２ｂの構成を示す図である。
【図４】相互作用チェック結果を出力したアドバイスシートを示す図である。
【図５】本発明の一実施の形態に係る薬品相互作用チェックシステムの全体の流れを説明するための図である。
【符号の説明】
１０  相互作用チェックシステム
１１  管理センタ
１１ａ  顧客・購買履歴管理サーバ
１１ｂ  相互作用チェックサーバ
１２  調剤薬局
１２ａ  レセコン
１２ｂ  相互作用チェック端末
１３  ドラッグストア
１３ａ  ＰＯＳレジ
１３ｂ  ストアコントローラ
２１  データ取得部
２２  データ変換部
２３  飲み合せチェック部
２４  出力部
２５  メモリ
【図１】
2004157978.tif 000003
【図２】
2004157978.tif 000004
【図３】
2004157978.tif 000005
【図４】
2004157978.tif 000006
【図５】
2004157978.tif 000007
【手続補正書】
【提出日】平成16年2月6日(2004.2.6)
【手続補正１】
【補正対象書類名】明細書
【補正対象項目名】特許請求の範囲
【補正方法】変更
【補正の内容】
【特許請求の範囲】
【請求項１】
顧客が既に購入した薬品類と該顧客が新たに購入する処方薬との相互作用を自動的にチェックする薬品類の相互作用チェックシステムであって、前記薬品チェックシステムは、
前記顧客の薬品類の購買情報を該顧客の顧客特定情報に関連づけて入力可能な入力部と、
前記顧客特定情報と前記購買情報とを関連づけてなる顧客・購買履歴情報を格納する購買履歴データベースを有する顧客・購買履歴管理サーバ、及び薬品類の相互作用チェック情報を格納する相互作用データベースを有する相互作用チェックサーバを備えた統括処理部と、
前記処方薬のレセプトを作成するレセプトコンピュータと、該統括処理部にアクセスして前記顧客・購買履歴情報、前記相互作用チェック情報及び前記処方薬の情報を用いて薬品類の相互作用をチェックする機能を有する相互作用チェック端末とを備えた機構処理部と、を具備することを特徴とする薬品類の相互作用チェックシステム。
【請求項２】
前記レセプトコンピュータは、前記会員カードの情報から前記処方薬の情報を抽出してレセプトを作成すると共に、前記処方薬の情報を前記相互作用チェック端末に自動的に転送することを特徴とする請求項１記載の薬品類の相互作用チェックシステム。
【請求項３】
前記相互作用チェック端末は、前記購買履歴データベースの前記顧客・購買履歴情報、前記相互作用データベースの前記相互作用チェック情報及び前記処方薬の情報を取得するデータ取得手段と、該顧客・購買履歴情報、該相互作用チェック情報及び前記処方薬の情報を薬品類の相互作用チェックが可能なデータに変換するデータ変換手段と、変換後のデータを用いて前記顧客に対する薬品類の相互作用をチェックする手段とを備えたものであることを特徴とする請求項１又は請求項２記載の薬品類の相互作用チェックシステム。
【請求項４】
前記顧客特定情報は、該顧客に対し発行される、少なくとも該顧客の会員番号、氏名及び住所を含む情報を記録した会員カードを使用して入力されるものであることを特徴とする請求項１から請求項３のいずれか一項記載の薬品類の相互作用チェックシステム。
【請求項５】
前記相互作用チェック端末は、薬品類の相互作用のチェック結果を前記顧客用及び／又は担当者用の各種アドバイスシートとして出力する出力部を具備するものであることを特徴とする請求項１から請求項４のいずれか一項記載の薬品類の相互作用チェックシステム。
【請求項６】
前記レセプトコンピュータは、調剤薬局に備えられていることを特徴とする請求項１から請求項５のいずれか一項記載の薬品類の相互作用チェックシステム。